(57)【要約】【課題】天井との取り付け部分に発生する応力を減らし、照明機器等の可動範囲を広くするようにして、地震による天井スラブに吊り下げた照明機器等の揺れを減少することが可能な天井吊下げ機器用免震装置を提供すること。【解決手段】取付面としての天井面に対して水平二次元方向に移動可能なステージと、復元バネと、を有し、ステージは、スライドレールを有する上部スライドレール部と下部スライドレール部とからなり、復元バネは、バネの配置によって変位に対する復元力が非線形の特性を有し、各々のスライドレールの移動方向に対して略直交状態となるように設置し、スライドレールは、各々のレール間に転がり支承としてのコロローラを備えるようにする。【選択図】図２
2014199124.tif 000002
【特許請求の範囲】
【請求項１】
取付面としての天井面に対して水平二次元方向に移動可能なステージと、復元バネと、を有し、
前記ステージは、少なくとも矩形状の可動領域を備え、当該矩形状の可動領域の対向する各々の辺において直線方向に移動可能なスライドレールを有する上部スライドレール部と、当該矩形状の可動領域の他の対向する各々の辺において前記上部スライドレール部のスライドレールと直交する方向に移動可能なスライドレールを有する下部スライドレール部とからなり、
前記上部スライドレール部は、天井面側に位置し、
前記下部スライドレール部は、前記上部スライドレール部の下部に位置して、天井吊下げ機器を吊すようにし、
前記復元バネは、前記上部スライドレール部と前記下部スライドレール部に各々設置され、前記上部スライドレール部及び前記下部スライドレール部に設けられた前記復元バネは、それぞれのスライドレールの移動方向に対して略直交状態となるように設置されていることを特徴とする天井吊下げ機器用免震装置。
【請求項２】
前記上部スライドレール部は、前記当該上部スライドレール部の前記スライドレールに固定され天井面と接する上板と、前記上部スライドレール部の前記スライドレールに固定され下部に位置する中板とを備えていることを特徴とする請求項１に記載の天井吊下げ機器用免震装置。
【請求項３】
前記下部スライドレール部は、当該下部スライドレール部の前記スライドレールが前記中板に固定され、前記下部ライドレール部の前記スライドレールに固定されて下部に位置し、天井吊下げ機器を吊す下板を備えていることを特徴とする請求項１又は請求項２に記載の天井吊下げ機器用免震装置。
【請求項４】
前記上部スライドレール部及び前記下部スライドレール部のスライドレールは、各々のレール間に転がり支承としてのコロローラを備えていることを特徴とする請求項２乃至請求項３のうち、いずれか１に記載の天井吊下げ機器用免震装置。
【請求項５】
前記復元バネは、前記スライドレールの移動方向に対して略直交状態となるように設置して、変位に対する復元力が非線形あることを特徴とする請求項１乃至請求項４のうち、いずれか１に記載の天井吊下げ機器用免震装置。
【請求項６】
前記復元バネは、その先端が前記スライドレールと一体に結合し、前記スライドレールが移動した際に、スライドレールの移動量に応じて略直交状態から斜めに角度を増すように張設するようにしたことを特徴とする請求項１乃至請求項５のうち、いずれか１に記載の天井吊下げ機器用免震装置。
【請求項７】
前記上部スライドレール部及び前記下部スライドレール部の中心付近に天井吊下げ機器の配線コードを配置するための開口部を有していることを特徴とする請求項１乃至請求項６のうち、いずれか１に記載の天井吊下げ機器用免震装置。
【請求項８】
前記天井吊下げ機器をピン接合で吊すようにしたことを特徴とする請求項１乃至請求項７のうち、いずれか１に記載の天井吊下げ機器用免震装置。
【発明の詳細な説明】
【技術分野】
【０００１】
本発明は、照明装置等の天井吊下げ機器の地震による揺れを軽減する天井吊下げ機器用免震装置に関し、特に、小型化及び天井との取り付け部分に発生する応力を軽減することが可能な天井吊下げ機器用免震装置に関する。
【背景技術】
【０００２】
公共的な建物、ホテル、ホール、遊技場、会議場などの大きな空間の建物の天井には大型照明機器  シャンデリアなどが天井により吊り下げられている。この様な天井部分に吊り下げられた大型照明機器等は、地震により大きな揺れが発生し、落下等による被害が生じる恐れがある。このため地震による被害を防止すべく、安全対策が求められている。
【０００３】
特許文献１には、吊り下げ物体固定具とともに吊り下げ物体を免震するようした吊り下げ物体免震装置が開示されている。特許文献１の図１及び図２によれば、吊り下げ物体免震装置１は、下側免震部１２と、下側免震部１２に固定されて水平方向に移動可能になされたスライド装置１３と、スライド装置１３に固定されて下側免震部１２に対してスライド可能になされた上側免震部１１とを有する第１免震装置１０及び第２免震装置１０’とを備え、取り付け金具２０により下側から支えられる第１免震装置１０と第２免震装置１０’の下側免震部１２に対して、吊り下げ物体固定具３０により連結された第１免震装置１０と第２免震装置１０’の上側免震部１１が一体に移動して、吊り下げ物体２を免震するようにしている。
【先行技術文献】
【特許文献】
【０００４】
【特許文献１】特開２００８−１６４０４９号公報
【発明の概要】
【発明が解決しようとする課題】
【０００５】
特許文献１に開示された吊り下げ物体免震装置は、第１免震装置及び第２免震装置の下側免震部が取り付け金具に固定されており、取り付け金具は、天井部に固定されている。このように、特許文献１の吊り下げ物体免震装置は、取り付け金具を介して天井部に固定される。
【０００６】
また、特許文献１に開示された吊り下げ物体免震装置は、取り付け金具の底部に設けられた孔部の両側に第１免震装置及び第２免震装置が取り付けられる。吊り下げ物体が固定されている吊り下げ物体固定具は、取り付け金具の孔部の両側に取り付けられている第１免震装置及び第２免震装置の成す空間に位置している。
【０００７】
しかしながら、特許文献１に開示された吊り下げ物体免震装置は、取り付け金具を介して天井部に固定される間接的な固定であるため、取り付け金具の振動の応答特性に影響される。また、取り付け金具の荷重によって天井との取り付け部分に応力が発生するため、天井との取り付け部分に十分な強度が求められる。
【０００８】
また、特許文献１に開示された吊り下げ物体免震装置における吊り下げ物体の可動範囲は、免震装置を支えている取り付け金具の孔部の開口部の大きさに制限される。このため、免震動作中に吊り下げ物体固定具の一部が、下側免震部に接触する恐れがある。
【０００９】
また、特許文献１に開示された吊り下げ物体免震装置は、下側免震部を下側から支える取り付け金具を用いて天井に固定するため、装置が大型化する恐れがある。
【００１０】
そこで、本発明はこれらの課題を解決すべく、照明機器等を吊り下げる天井スラブと照明機器等の吊り下げ用金具との間に免震装置も設け、免震装置を直接天井に固定し、天井との取り付け部分に発生する応力を減らし、照明機器等の可動範囲を広くするようにして、地震による天井スラブに吊り下げた照明機器等の揺れを減少するようにしたものである。
【課題を解決するための手段】
【００１１】
上記目標達成のため、本発明は、取付面としての天井面に対して水平二次元方向に移動可能なステージと、復元バネと、を有し、前記ステージは、少なくとも矩形状の可動領域を備え、当該矩形状の可動領域の対向する各々の辺において直線方向に移動可能なスライドレールを有する上部スライドレール部と、当該矩形状の可動領域の他の対向する各々の辺において前記上部スライドレール部のスライドレールと直交する方向に移動可能なスライドレールを有する下部スライドレール部とからなり、前記上部スライドレール部は、天井面側に位置し、前記下部スライドレール部は、前記上部スライドレール部の下部に位置して、天井吊下げ機器を吊すようにし、前記復元バネは、前記上部スライドレール部と前記下部スライドレール部に各々設置され、前記上部スライドレール部及び前記下部スライドレール部に設けられた前記復元バネは、それぞれのスライドレールの移動方向に対して略直交状態となるように設置されていることを特徴とする。
【００１２】
また、本発明の前記上部スライドレール部は、前記当該上部スライドレール部の前記スライドレールに固定され天井面と接する上板と、前記上部スライドレール部の前記スライドレールに固定され下部に位置する中板とを備えていることを特徴とする。
【００１３】
また、本発明の前記下部スライドレール部は、当該下部スライドレール部の前記スライドレールが前記中板に固定され、前記下部ライドレール部の前記スライドレールに固定されて下部に位置し、天井吊下げ機器を吊す下板を備えていることを特徴とする。
【００１４】
また、本発明の前記上部スライドレール部及び前記下部スライドレール部のスライドレールは、各々のレール間に転がり支承としてのコロローラを備えていることを特徴とする。
【００１５】
また、本発明の前記復元バネは、前記スライドレールの移動方向に対して略直交状態となるように設置して、変位に対する復元力が非線形あることを特徴とする。
【００１６】
また、本発明の前記復元バネは、その先端が前記スライドレールと一体に結合し、前記スライドレールが移動した際に、スライドレールの移動量に応じて略直交状態から斜めに角度を増すように張設するようにしたことを特徴とする。
【００１７】
また、本発明は、前記上部スライドレール部及び前記下部スライドレール部の中心付近に天井吊下げ機器の配線コードを配置するための開口部を有していることを特徴とする。
【００１８】
また、本発明は、前記天井吊下げ機器をピン接合で吊すようにしたことを特徴とする。
【発明の効果】
【００１９】
本発明によれば、免震装置を直接天井に固定したことにより、天井との取り付け部分に発生する応力を減らすことができる。また、取り付け金具が不要なため、免震装置の構成を簡素化することができる。
【００２０】
また、本発明の天井吊下げ機器用免震装置は、スライドレールにコロローラを用いたことにより、スライドレールの移動距離はレール長さの約２倍であるため、天井吊下げ機器の可動範囲を広くすることができる。このため、大きな揺れに対しても、免震効果を得ることができる。
【００２１】
更に、地震による揺れが繰り返して発生している場合にも、個々の揺れに対して免震され、揺れの抑えが不十分による天井吊下げ機器への揺れの累積がないため、確実に免震効果を得ることができる。
【００２２】
また、本発明の天井吊下げ機器用免震装置は、スライドレールの移動距離が大きいため、所定の移動距離に対してレール長さを短くすることができる。これにより、免震装置の小型化が可能となる。
【００２３】
また、本発明の天井吊下げ機器用免震装置は、バネの配置によって復元バネが非線形の特性を有するようにしたことにより、バネの変位が小さいときには、復元力を生じないようにして、揺れの収束を早めるようにしたことにより、小さな地震から大きな地震まで免震効果を有する。
【００２４】
また、本発明の天井吊下げ機器用免震装置は、天井吊下げ機器をピン接合で免震装置の取付板に吊すようにしたことにより、揺れに対して柔軟性を有するため、取付板等に無理な力が掛からない。
【図面の簡単な説明】
【００２５】
【図１】天井に取り付けた天井吊下げ機器用免震装置の構成を示す斜視図である。
【図２】天井吊下げ機器用免震装置の構成を示す側面図であり、一部を拡大した拡大図（ａ）及び（ｂ）を含み、（ａ）は、丸枠部分の拡大図であり、（ｂ）は、丸枠部分を９０度回転した拡大図である。
【図３】平面視において、天井吊下げ機器用免震装置の定常時の復元バネの位置を示す平面図である。
【図４】復元バネにおける変位に対する復元力の関係を示すグラフである。
【図５】天井が変位したときの天井吊下げ機器用免震装置の上板の位置及び変位量を示す図である。
【図６】天井が変位したときの天井に取り付けた天井吊下げ機器用免震装置の状態を示す斜視図である。
【図７】天井が変位したときの天井吊下げ機器用免震装置の復元バネの状態を示す平面図であり、（ａ）は、Ｘ軸方向に変位したとき、（ｂ）は、Ｙ軸方向に変位したとき、（ｃ）は、ＸＹ軸方向に変位したときの復元バネの状態を示す。
【発明を実施するための形態】
【００２６】
以下、図面を参照して、本発明による天井吊下げ機器用免震装置を実施するための形態について説明する。尚、本発明による天井吊下げ機器用免震装置は、照明機器等を吊り下げる天井スラブと照明機器等の吊り下げ用金具との間に免震装置を設け、免震装置を直接天井に固定し、天井との取り付け部分に発生する応力を減らし、照明機器等の可動範囲を広くするようにして、地震による天井スラブに吊り下げた照明機器等の揺れを減少するようにしたものである。
【００２７】
［天井吊下げ機器用免震装置の構成］
まず、図１乃至図３を用いて、天井吊下げ機器用免震装置の構成について説明する。図１は、天井に取り付けた天井吊下げ機器用免震装置の構成を示す斜視図である。図２は、天井吊下げ機器用免震装置の構成を示す側面図であり、一部を拡大した拡大図（ａ）及び（ｂ）を含み、（ａ）は、丸枠部分の拡大図であり、（ｂ）は、丸枠部分を９０度回転した拡大図である。図３は、平面視において、天井吊下げ機器用免震装置の定常時の復元バネの位置を示す平面図である。尚、図１に示す天井吊下げ機器用免震装置は、天井吊下げ機器の一例として照明装置を用いたものである。
【００２８】
図１及び図２に示すように、天井スラブ４０に取り付けた天井吊下げ機器用免震装置１は、二次元（ＸＹ軸）方向に移動可能なステージを有し、ステージは、水平のＸ軸方向にスライドする上部スライドレール部３と、水平のＹ軸方向にスライドする下部スライドレール部１０とを有している。また、ステージは、少なくとも矩形状の可動領域（移動可能な領域）を備えている。そのため、ステージの可動領域は、正方形や、長方形などの四角形状となる。
【００２９】
図１及び図２に示すように、上部スライドレール部３は天井スラブ４０側に取り付けられ、上部スライドレール部３の下部に下部スライドレール部１０が設けられている。上部スライドレール部３は、ステージの可動領域の対向する各々の辺においてスライドレール４が設けられている。
【００３０】
図２に示すように、スライドレール４は、断面が略コの字形状を有する枠レール（アウターレール）５と、枠レール５の内部に設けられた中レール（インナーレール）６と、枠レール５と中レール６の間に位置するコロローラ７とを有している。
【００３１】
コロローラ７は、円筒状のローラであり、枠レール５の内部の略コの字形状の対向する辺と中レール６の上下の辺との間に等間隔に設けられている。コロローラ７は、線状に枠レール５及び中レール６と接している。これにより、上部スライドレール部３は、コロローラ７を介して枠レール５及び中レール６が、Ｘ軸方向に相対移動することが可能となっている。
【００３２】
また、下部スライドレール部１０は、ステージの可動領域の他の対向する各々の辺に、上部スライドレール部３のスライドレール４と直交する方向に移動可能な枠レール１２及び中レール１３を備えたスライドレール１１が設けられている。下部スライドレール部１０のスライドレール１１は、コロローラ７を介して枠レール１２及び中レール１３がＹ軸方向に相対移動することが可能となっている。
【００３３】
上部スライドレール部３は、対向する辺に設けられたスライドレール４における枠レール５のそれぞれの側面に断面がＬ字形状をなす枠レール用取付金具２８が取り付けられており、枠レール用取付金具２８の外側に屈曲した面の表面に上板１７が取り付けられている。
【００３４】
一方、上部スライドレール部３のスライドレール４における中レール６のそれぞれの側面には、断面がＬ字形状をなす中レール用取付金具２９が取り付けられており、中レール用取付金具２９の外側に屈曲した面の裏面に中板１８が取り付けられている。これにより、上部スライドレール部３の枠レール５は、上板１７と一体化して移動し、上部スライドレール部３の中レール６は、中板１８と一体化して移動する。
【００３５】
また、下部スライドレール部１０は、対向する辺に設けられたスライドレール１１における枠レール１２のそれぞれの側面に断面がＬ字形状をなす枠レール用取付金具２８が取り付けられており、枠レール用取付金具２８の屈曲した面の表面に上部スライドレール部３の中板１８が取り付けられている。
【００３６】
一方、下部スライドレール部１０のスライドレール１１における中レール１３のそれぞれの側面に断面が逆Ｌ字形状をなす中レール用取付金具２９が取り付けられており、中レール用取付金具２９の外側に屈曲した面の裏面に下板１９が取り付けられている。
【００３７】
これにより、下部スライドレール部１０は、上部スライドレール部３の中板１８と一体化して移動し、下部スライドレール部１０の中レール１３は、下板１９と一体化して移動する。
【００３８】
上部スライドレール部３の上板１７、中板１８及び下部スライドレール部１０の下板１９の中央付近には、配線ケーブル用の円形の開口部２３が設けられている。尚、開口部２３の形状は、円形の形状に限らず、他の形状、例えば、正方形、長方形であってもよい。
【００３９】
また、図１及び図２に示すように、上部スライドレール部３及び下部スライドレール部１０には、復元バネが設けられている。図３に示すように、定常時での復元バネ２５、２６は平面視において、スライドレール４、１１の両端付近の位置にスライドレールの移動方向に対して略直交状態となるように設置されている。
【００４０】
即ち、上部スライドレール部３の復元バネ２５の一端は、枠レール５に枠レール用取付金具２８を介して取り付けられている上板１７に固定されている。また、復元バネ２５の他端は、中レール６に中レール用取付金具２９を介して固定されている中板１８に固定されている。
【００４１】
図２に示すように、側面視においては、上部スライドレール部３の復元バネ２５は、スライドレール４付近の上板１７から中板１８の中央付近に斜めに張設されている。
【００４２】
また、図３にも示すように、下部スライドレール部１０の復元バネ２６の一端は、中レール１３に中レール用取付金具２９を介して取り付けられている下板１９に固定されている。また、復元バネ２６の他端は、上部スライドレール部３に設けられている中板１８に固定されている。
【００４３】
また、下部スライドレール部１０の復元バネ２６は、側面視（図示せず）においては、上部スライドレール部３の中板１８の中央付近から下板１９のスライドレール１１の近傍に斜めに張設されている。
【００４４】
天井吊下げ機器用免震装置１は、上部スライドレール部３における上板１７の外周の隅に設けられた孔に固定ボルト４１を通して天井スラブ（天井床）４０に固定されている。
【００４５】
照明装置５０は、吊り材である吊り下げチェーン５２により取付板５３を介してピン接合により下部スライドレール部１０の下板１９に吊り下げられる。また、照明装置５０の配線ケーブル５１は、天井吊下げ機器用免震装置１の下板１９、中板１８及び上板１７の開口部２３を通って天井スラブ４０内に設けられたプルボックス（配線用の箱）４０ａに接続される。
【００４６】
尚、ピン接合に代えて下板１９にユニバーサルジョイントを設けて、吊り材である吊り下げ棒の先端をユニバーサルジョイントに結合して、吊り下げ棒で照明装置５０を吊り下げるようにしてもよい。
【００４７】
尚、上部スライドレール部３においては、アウターレール５は、上板１７ではなく、中板１８に固定され、インナーレール６は、中板１８ではなく、上板１７に固定する構成とすることも可能である。
【００４８】
また同様に、下部スライドレール部１０においては、インナーレール１３は、中板１８ではなく、下板１９に固定され、アウターレール１２は、下板１９ではなく、中板１８に固定する構成とすることも可能である。
【００４９】
［天井吊下げ機器用免震装置の動作］
次に、地震により天井が変位して揺れたときの、天井吊下げ機器用免震装置の動作について図４乃至図６を用いて説明する。図４は、復元バネにおける変位に対する復元力の関係を示すグラフである。図５は、天井が変位したときの天井吊下げ機器用免震装置の上板の位置及び変位量を示す図である。図６は、天井が変位したときの天井に取り付けた天井吊下げ機器用免震装置の状態を示す斜視図である。図７は、天井が変位したときの復元バネの状態を示す平面図である。
【００５０】
尚、図４では、復元バネがスライドレールの移動方向に対して直角に位置している場合をゼロとし、このときの復元バネが位置するラインを基準線として、スライドレール部の各レールが移動して復元バネが基準線に対して成す角度の＋−により、変位の＋−を決定し、変位が−のときの復元力を−として表示している。
【００５１】
［復元バネの特性］
最初に、復元バネの変位に対する復元力について図４を用いて説明する。図４に示すように、復元バネは、変位量が小さいとき、即ち、地震による揺れが小さいとき（図４に示す０からｄ１の範囲）には、復元力は、ほぼゼロである。復元バネは、変位量がｄ１を超えると、変位量の大きさに応じて復元力が増加する。特に、変位量がｄ２以上のときには、変位量の大きさに応じて復元力は急激に増加する。
【００５２】
図４において、定常状態での位置を０として、例えば、Ｘ軸方向の＋側に変位する時の復元バネ２５の復元力は、上部スライドレール部３の枠レール５と中レール６の位置を元の位置戻そうとする力となる。即ち、復元バネ２５がスライドレール４に対して略直交状態となるように、スライドレール部の中レール６が、移動した枠レール５側に向かって移動する。
【００５３】
このように、スライドレール４、１１の移動方向に対して略直交状態となるように設置されている復元バネ２５、２６は、変位に対する復元力が非線形特性を有している。復元バネ２５、２６は、小さな変位に対して不感帯を有していることにより、小さな揺れにおいて振動がすぐに減衰して収束する。このように略直交状態に設置することにより非線形特性を有する復元バネ２５、２６を天井吊下げ機器用免震装置１に用いることにより、小さな地震であっても免震効果を発揮することができる。
【００５４】
［天井吊下げ機器用免震装置の免震動作］
次に、天井が変位したときの天井吊下げ機器用免震装置の上板の位置及び変位量について、図５を用いて説明する。天井吊下げ機器用免震装置１は、定常状態即ち揺れがなく静止しているときには、上部スライドレール部３及び下部スライドレール部１０のスライドレール４は、中央付近に位置している。図５に示すように、上板１７の中心の位置をＯとし、Ｏの位置をＸＹ軸上の原点とする。このとき、復元バネ２５、２６は、図３に示すように、スライドレール４の移動方向に対して直交状態となるように設置されている。
【００５５】
次に、地震等により天井が揺れて変位したことにより、図５に示す上板１７の中心の位置Ｏが点線で示す上板１７のＯａに移動したものとする。このときの上板１７のＯの位置からＯａへの移動量ｄｘｙは、Ｘ軸成分の移動量ｄｘとＹ軸成分の移動量ｄｙとを合成したものである。
【００５６】
図６に示すように、天井スラブ４０の揺れに対して、照明装置５０を吊り下げている天井吊下げ機器用免震装置１は、天井スラブ４０に固定されている上板１７の位置が、ＯからＯａに変位する。上板１７の位置が移動したことにより、上部スライドレール部３及び下部スライドレール部１０の枠レール５、１２が移動する。
【００５７】
天井スラブ４０が揺れて変位することにより、図７（ａ）に示すように、上部スライドレール部３の枠レール５側に固定されている上板１７が枠レール５に追従してＸ軸方向に移動量をｄｘ移動し、上板１７と中板１８に張設された復元バネ２５が伸ばされる。
【００５８】
また、天井スラブ４０のＹ軸方向の移動によって上部スライドレール部３全体が、移動量ｄｙ分移動することにより、上部スライドレール部３の中板１８に固定されている下部スライドレール部１０の中レール１３は、Ｙ軸方向に移動量ｄｙ分移動する。図７（ｂ）に示すように、下部スライドレール部１０の中レール１３側に固定されている中板１８が中レール１３に追従して移動し、中板１８と下板１９に張設された復元バネ２６が伸ばされる。
【００５９】
図７（ｃ）に示すように、天井スラブ４０が揺れてＸ方向にｄｘ、Ｙ方向にｄｙ変位したことにより、上部スライドレール部３の全体及び下部スライドレール部１０の中レール１３が動作して移動するが、下部スライドレール部１０の枠レール１２に固定されている下板１９は、ほとんど移動することなく停止しているため、下板１９に吊り下げチェーン５２を介して取り付けられている照明装置５０は、大きく揺れることがない。
【００６０】
その後、復元バネ２５、２６が変位したことにより復元バネ２５、２６に復元力が発生して、上部スライドレール部３及び下部スライドレール部１０の中レール６、１３が、復元バネ２５、２６がスライドレールの移動方向に対して直交状態となるように移動する。
【００６１】
以上述べたように、天井スラブ４０の揺れに対して、照明装置５０を吊り下げている天井吊下げ機器用免震装置１は、天井スラブ４０に固定されている上板１７の位置がＯａに変位したことにより、上部スライドレール部がＸ軸方向に移動量ｄｘ分移動し、また、下部スライドレール部がＹ軸方向に移動量ｄｙ分移動して揺れを吸収する。これにより下板１９に吊り下げチェーン５２を介して取り付けられている照明装置５０は、大きく揺れることなく安定状態を維持することができる。
【００６２】
尚、天井吊下げ機器用免震装置の天井吊下げ機器は、シャンデリアを含む照明装置５０に限定するものではなく、例えば、監視用カメラ、電光掲示板、空調機であってもよい。
【００６３】
［本発明の実施形態の効果］
以上述べたように、本発明によれば、免震装置を構成する上板を直接天井に固定したことにより、天井との取り付け部分に発生する応力を減らすことができる。また、取り付け金具が不要なため、免震装置の構成を簡素化することができる。
【００６４】
また、本発明の天井吊下げ機器用免震装置は、スライドレールにコロローラを用いたことにより、スライドレールの移動距離はレール長さの約２倍であるため、天井吊下げ機器の可動範囲を広くすることができる。
【００６５】
このため、大きな揺れに対しても、免震効果を得ることができる。更に、地震による揺れが繰り返して発生している場合にも、個々の揺れに対して免震され、揺れの抑えが不十分による天井吊下げ機器への揺れの累積がないため、確実に免震効果を得ることができる。
【００６６】
また、本発明の天井吊下げ機器用免震装置は、スライドレールの移動距離が大きいため、所定の移動距離に対してレール長さを短くすることができる。これにより、免震装置の小型化が可能となる。
【００６７】
また、本発明の天井吊下げ機器用免震装置は、バネの配置によって復元バネが非線形の特性を有するようにしたことにより、バネの変位が小さいときには、復元力を生じないようにして、揺れの収束を早めるようにしたことにより、小さな地震から大きな地震まで免震効果を有する。
【００６８】
また、本発明の天井吊下げ機器用免震装置は、天井吊下げ機器をピン接合で免震装置の取付板に吊すようにしたことにより、揺れに対して柔軟性を有するため、取付板等に無理な力が掛からない。
【００６９】
この発明は、その本質的特性から逸脱することなく数多くの形式のものとして具体化することができる。よって、上述した実施形態は専ら説明上のものであり、本発明を制限するものではないことは言うまでもない。
【符号の説明】
【００７０】
１          天井吊下げ機器用免震装置
３          上部スライドレール部
１０        下部スライドレール部
４、１１    スライドレール
５、１２    枠レール（アウターレール）
６、１３    中レール（インナーレール）
７          コロローラ
１７        上板
１８        中板
１９        下板
２３        開口部
２５、２６  復元バネ
２８        枠レール用取付金具
２９        中レール用取付金具
４０        天井スラブ（天井床）
４０ａ      プルボックス
４１        固定ボルト
５０        照明装置
５１        配線ケーブル
５２        吊り下げチェーン
５３        取付板
【図１】
2014199124.tif 000003
【図２】
2014199124.tif 000004
【図３】
2014199124.tif 000005
【図４】
2014199124.tif 000006
【図５】
2014199124.tif 000007
【図６】
2014199124.tif 000008
【図７】
2014199124.tif 000009